(57)【要約】【課題】歯科治療用インスツルメントから噴射するスプレー水を常に温水の状態で噴射するようにした。【解決手段】歯科用インスツルメント６を着脱自在に連結することができるインスツルメントホースを有する水回路２０と、該水回路２０に温水を供給する温水器１０とを有する。水回路２０は、前記温水器１０側端部に３方給水弁１１を、前記インスツルメント６側端部に３方切換弁１２を有し、前記３方給水弁１１は、前記水回路２０に温水器１０からの温水、又は、圧縮エア源からのエアを供給するよう選択可能であり、前記３方切換弁は、前記温水が供給される時は、該温水を歯科用インスツルメント６に供給し、前記圧縮エアが供給される時は、該圧縮エアを排気するよう選択可能で、歯科治療終了後、水回路２０に残存している温水をエアにて排出し、次回インスツルメント使用時、使用の最初から温水が噴射されるようにした。【選択図】図１
2006181147.tif 000002
【特許請求の範囲】
【請求項１】
歯科用インスツルメントを着脱自在に連結することができるインスツルメントホースと、該インスツルメントホースに温水を供給する温水器とを有し、歯科治療中、前記インスツルメントより温水を噴射可能とした歯科用インスツルメントの水回路であって、該水回路は、前記温水器側端部に３方給水弁を、前記インスツルメント側端部に３方切換弁を有し、前記３方給水弁は、前記水回路に温水、又は、圧縮エアを供給するよう選択可能であり、前記３方切換弁は、前記温水が供給される時は、該温水を歯科用インスツルメントに供給し、前記圧縮エアが供給される時は、該圧縮エアを排気するよう選択可能であることを特徴とする歯科用インスツルメントの水回路。
【請求項２】
前記３方給水弁に圧縮エアを供給するエア回路に遮断弁を有し、該遮断弁は、前記歯科用インスツルメントがインスツルメントホルダに戻された時に所定時間開かれ、前記水回路中に残存していた温水を前記３方切換弁を通して排出することを特徴とする請求項１記載の歯科用インスツルメントの水回路。
【請求項３】
前記水回路に水の有無を検出する水センサを有し、該水回路に圧縮エアを供給中、該水回路に水がなくなったことを検出した時に、前記圧縮エアの供給を停止するようにしたことを特徴とする請求項１に記載の歯科用インスツルメントの水回路。
【請求項４】
請求項１乃至３のいずれかに記載の水回路を備えたことを特徴とする歯科治療用ユニット。
【発明の詳細な説明】
【技術分野】
【０００１】
本発明は、歯科用インスツルメントの水回路、より詳細には、歯科治療において、歯科治療用インスツルメントの使用に際し、インスツルメントを使用していない時は、該インスツルメントに水を供給する水回路内を水が無い状態にしておき、インスツルメント使用の最初から該インスツルメントに温水を供給するようにして、つまり、インスツルメントから噴射するスプレー水を常に温水の状態で噴射可能にした歯科用インスツルメントの水回路に関する。
【背景技術】
【０００２】
図４は、本発明が適用される歯科治療ユニットの一例を説明するための全体構成図で、該歯科治療ユニットは、治療椅子１、スピットン２、給配水ボックス３、無影灯４、インスツルメントホルダ５、インスツルメント６、インスツルメントホース７、ワークテーブル８、アシスタント用インスツルメントホルダ９等から成り、インスツルメントホルダ５には、歯科治療において使用する種々のインスツルメント６が収納されており、周知のように、歯科治療に当り、患者は椅子１に座り、頭を安頭台に固定して治療を受ける。治療中、術者は、治療椅子１を上下動、倒起動、傾斜動等させて、患者を治療しやすい姿勢にして治療を行う。
【０００３】
歯科治療に当り、術者は、治療椅子１を倒して、或いは、更に、椅子全体を傾斜、上下動させて治療しやすい状態にした後、インスツルメントホルダ５より所望のインスツルメント６（例えば、エアタービン、マイクロエンジン等）を取り出して歯牙の切削等の治療を行うが、その際、切削箇所を冷却或いは洗浄するために、インスツルメントの先端より水又は水とエアの混合体（スプレー水）を噴射している。
【０００４】
上述のごとき歯科治療ユニットにおいて、インスツルメントより噴射する水を温水にして、患者に対する刺激を緩和することが行われているが、治療作業終了後、温水器からインスツルメントに至る水回路中に残存する温水の温度が時間の経過と共に低下し、次回、歯科治療を始める時に、最初に、前述の温度が低下した残存水がインスツルメントより噴射され、この低温の残存水が患者に刺激を与え、患者に不快感を与えている。
【発明の開示】
【発明が解決しようとする課題】
【０００５】
本発明は、上述のごとき実情に鑑みてなされたもので、歯科治療用インスツルメントから噴射する水（スプレー水）を常に温水の状態で噴射するようにした歯科用インスツルメントの水回路を提供することを目的としてなされたものである。
【課題を解決するための手段】
【０００６】
第１の発明は、歯科用インスツルメントを着脱自在に連結することができるインスツルメントホースと、該インスツルメントホースに温水を供給する温水器とを有し、歯科治療中、前記インスツルメントより温水を噴射可能とした歯科用インスツルメントの水回路であって、該水回路は、前記温水器側端部に３方給水弁を、前記インスツルメント側端部に３方切換弁を有し、前記３方給水弁は、前記水回路に温水、又は、圧縮エアを供給するよう選択可能であり、前記３方切換弁は、前記温水が供給される時は、該温水を歯科用インスツルメントに供給し、前記圧縮エアが供給される時は、該圧縮エアを排気するよう選択可能であることを特徴としたものである。
【０００７】
第２の発明は、第１の発明において、前記３方給水弁に圧縮エアを供給するエア回路に遮断弁を有し、該遮断弁は、前記歯科用インスツルメントがインスツルメントホルダに戻された時に所定時間開かれ、前記水回路中に残存していた温水を前記３方切換弁を通して排出することを特徴としたものである。
【０００８】
第３の発明は、第１の発明において、前記水回路に水の有無を検出する水センサを有し、該水回路に圧縮エアを供給中、該水回路に水がなくなったことを検出した時に、前記圧縮エアの供給を停止するようにしたことを特徴としたものである。
【０００９】
第４の発明は、第１乃至第３のいずれかに記載の水回路を備えた歯科治療ユニットを特徴とするものである。
【発明の効果】
【００１０】
本発明によると、歯科治療において、インスツルメントから常に、換言すれば、インスツルメント使用の初期から温水が噴射されるので、換言すれば、冷たい水が噴射されるようなことがないので、患者は、不快感を感じることなく歯科治療を受けることができる。
【００１１】
また、インスツルメントを使用していない時は、水回路内に水がない状態となっているので、水詰まりの防止にも繋がり、更には、水回路内に温水を溜めておく場合には、該水回路内に細菌が繁殖しやすいが、そのような心配もない。
【発明を実施するための最良の形態】
【００１２】
本発明は、歯科治療において、歯科治療用インスツルメント、例えば、エアータービン、マイクロエンジン、シリンジ等で使用する水（スプレー水）を常に温水の状態で使用できるようにしたもので、温水器からインスツルメントに至るそのための水回路において、インスツルメント使用後、水回路の給水側（温水器側の弁）から排出側（インスツルメント接続側の弁）までの水を全てエアで押して出して該水回路内を空にしておき、インスツルメントを使用する時に、該インスツルメントの使用の初期、前記温水器内の温水を前記空にされた水回路を通して前記インスツルメントに供給するようにし、インスツルメント使用の開始初期から温水が噴射されるようにしたものである。
【００１３】
図１は、本発明による歯科用インスツルメントの水回路の一実施例を説明するための図で、図中、１０は温水器、２０は水回路、６はインスツルメントで、Ｉはユニット側、IIはインスツルメントホース区間、IIIはインスツルメント側を示し、温水器１０は例えばユニット例の給配水ボックス３内或いはワークテーブル８の下部等所望の箇所に設けられており、常時、体温に近い温度に加温されている。１１は温水器１０の流出側近傍に設けられた３方給水弁、１２はインスツルメントホース（水回路２０）の流出側近傍（インスツルメント６との接続部近傍）に設けられた３方切換弁、１３は遮断弁、１４，１５，１６，１７はそれぞれ逆止弁、３０は本発明によって付加されたエア供給回路、４０は本発明によって付加された排水回路である。
【００１４】
図２は、前記３方給水弁１１、３方切換弁１２、遮断弁１３の動作状態を説明するための模式図で、歯科治療中、３方給水弁１１、３方切換弁１２、及び、遮断弁１３は、図２（Ａ）に示す状態にあり、温水器１０からの温水は、３方給水弁１１及び３方切換弁１２を通してインスツルメント６に供給され、通常の歯科治療通り、インスツルメント６から温水を噴射しながら初期の歯科治療が行われる。
【００１５】
歯科治療が終了して、インスツルメント６をインスツルメントホルダ５に戻すと、インスツルメントホルダ５に通常設けられているセンサが仂いて、歯科治療が終了したことを検知し、３方給水弁１１を閉じて図２（Ｂ）に示す状態にし、温水器１０からの温水の供給を遮断するとともに、遮断弁１３を開いて図２（Ｂ）に示す状態とし、更に、３方切換弁１２を図２（Ｂ）に示す状態とし、これら弁１３，１１，１２を通してエア回路を構成し、水回路２０内の温水を排水回路４０を通して放出する。水回路２０内の体積は予め解っているので、インスツルメント６をインスツルメントホルダ５に戻したことを前記センサが検出した後からの時間を計測し、所定時間経過した時、或いは、水回路２０内に水センサ２１を設けておき、該水センサ２１が水がないことを検出時に、遮断弁１３を閉じて、図２（Ｃ）に示す状態にしておく。なお、この時、弁１２は図２（Ａ）に示す状態にしておいてもよい。
【００１６】
その後、術者が再度インスツルメント６をインスツルメントホルダ５から取り出すと、該インスツルメントホルダ５に取り付けられている前述のセンサが仂いて、歯科治療が始まることを感知し、３方給水弁１１及び３方切換弁１２を図２（Ａ）に示す状態にし、温水器１０内の温水を３方給水弁１１、水回路２０、及び、３方切換弁１２を通して、インスツルメント６に供給する。この時、水回路２０内には、水が残存していないので、インスツルメント６には、最初から温水が供給される。
【００１７】
図３は、弁１１〜１３の関係を表にしたもので、インスツルメントを使用していない（図３において１の状態の時）時は、遮断弁１３は、図２（Ａ）に示す閉状態にあり、この時、水回路２０内の水は排出されている。歯科治療に当り、インスツルメントをインスツルメントホルダから取り出すと（図３において２の状態）、温水器１０内の温水は弁１１、水回路２０、弁１２を通してインスツルメント６に供給される。この時、水回路２０内には、水が残存していないので、インスツルメント６からは、最初から温水器１０からの温水が噴出される。この状態（図３において３の状態）で、歯科治療が行われ、治療が終了して、インスツルメント６をインスツルメントホルダに戻すと（図３において４の状態）、インスツルメントホルダに設けられているセンサが作動して、弁１１、１２、１３は図２（Ｂ）の状態になり、圧縮エア源からのエアが弁１３、弁１１を通して水回路２０に供給され、該水回路２０内に残存している水を弁１３及び排水回路４０を通して放出する。センサ２１によって水回路２０内に水がなくなったことが検出されると、又は、排水動作始動後所定時間経過後に、弁１３を閉じ、図３（Ｃ）の状態となる。その後、再度、インスツルメントをインスツルメントホルダから取り出して歯科治療を始めようとすると、弁１１、１２が図３（Ａ）に示す状態となり、温水器１０からの温水が水回路２０を通してインスツルメント６に供給され、インスツルメント６は、治療の最初から温水を噴射することができる。
【図面の簡単な説明】
【００１８】
【図１】本発明による歯科用インスツルメントの水回路を説明するための系統図である。
【図２】図１に示した弁の作動状態を説明するための模式図である。
【図３】本発明による水回路に使用される弁の状態を表にして示した図である。
【図４】本発明が適用される歯科治療ユニットの一例を説明するための図である。
【符号の説明】
【００１９】
３…給配水ボックス、５…インスツルメントホルダ、６…インスツルメント、７…インスツルメントホース、１０…温水器、１１…３方給水弁、１２…３方切切換弁、１３…遮断弁、１４，１５，１６，１７…逆止弁、３０…エア供給回路、４０…排水回路。
【図１】
2006181147.tif 000003
【図２】
2006181147.tif 000004
【図３】
2006181147.tif 000005
【図４】
2006181147.tif 000006